(57)【特許請求の範囲】
【請求項１】
液体を吐出可能な吐出部と、
媒体及び前記吐出部を相対的に移動可能な移動部と、
前記吐出部によって前記液体を吐出させる吐出動作と、前記移動部によって前記媒体及び前記吐出部を移動方向に相対的に移動させる移動動作と、によって、前記媒体に画像を形成する画像形成動作を実行可能な制御部と、を備え、
前記制御部は、
第１の画像の形成後に、前記第１の画像に重ねて第２の画像を形成する場合に、前記第１の画像を形成する際の前記移動動作の移動量である第１の移動量と、前記第２の画像を形成する際の前記移動動作の移動量である第２の移動量と、を個別に変更可能であり、
前記第１の画像の形成に伴って前記媒体が膨張する場合に、前記第１の移動量の減少、及び第２の移動量の増加、のうち少なくとも一方を実行することを特徴とする液体吐出装置。
【請求項２】
液体を吐出可能な吐出部と、
媒体及び前記吐出部を相対的に移動可能な移動部と、
前記吐出部によって前記液体を吐出させる吐出動作と、前記移動部によって前記媒体及び前記吐出部を移動方向に相対的に移動させる移動動作と、によって、前記媒体に画像を形成する画像形成動作を実行可能な制御部と、を備え、
前記制御部は、
第１の画像の形成後に、前記第１の画像に重ねて第２の画像を形成する場合に、前記第１の画像を形成する際の前記移動動作の移動量である第１の移動量と、前記第２の画像を形成する際の前記移動動作の移動量である第２の移動量と、を個別に変更可能であり、
前記第１の画像の形成に伴って前記媒体が収縮する場合に、前記第１の移動量の増加、及び前記第２の移動量の減少、のうち少なくとも一方を実行することを特徴とする液体吐出装置。
【請求項３】
請求項１又は２に記載の液体吐出装置において、
前記移動部は、前記媒体を支持した状態で前記移動方向に移動する媒体支持ユニットであり、
前記制御部は、前記媒体支持ユニットの移動量を変更することで、前記第１の移動量及び前記第２の移動量を個別に変更可能であることを特徴とする液体吐出装置。
【請求項４】
請求項１又は２に記載の液体吐出装置において、
前記移動部は、前記移動方向に前記媒体を移動させる搬送ローラーであり、
前記制御部は、前記搬送ローラーの回転量を変更することで、前記第１の移動量及び前記第２の移動量を個別に変更可能であることを特徴とする液体吐出装置。
【請求項５】
請求項１又は２に記載の液体吐出装置において、
前記移動部は、前記吐出部を有し、前記吐出部と共に前記移動方向に移動する吐出ユニットであり、
前記制御部は、前記吐出ユニットの移動量を変更することで、前記第１の移動量及び前記第２の移動量を個別に変更可能であることを特徴とする液体吐出装置。
【請求項６】
請求項１から５のいずれか１項に記載の液体吐出装置において、
前記吐出部は、前記移動方向と交差する交差方向に移動して前記液体を吐出可能であり、
前記制御部は、前記交差方向に移動して前記液体を吐出する際の吐出タイミングを、前記第１の画像の形成の際と前記第２の画像の形成の際とで、個別に変更可能であることを特徴とする液体吐出装置。
【請求項７】
請求項１から６のいずれか１項に記載の液体吐出装置において、
前記制御部は、設定情報に基づいて、前記第１の移動量及び前記第２の移動量のうち少なくとも一方を変更することを特徴とする液体吐出装置。
【請求項８】
請求項７に記載の液体吐出装置において、
前記媒体はテキスタイルであり、
前記設定情報は、前記媒体の素材、前記媒体の編み方、及び前記媒体を構成する糸の太さ、のうちの少なくともいずれか１つを含むことを特徴とする液体吐出装置。
【請求項９】
液体を吐出可能な吐出部と、媒体及び前記吐出部を相対的に移動可能な移動部と、を備え、前記吐出部によって前記液体を吐出させる吐出動作と、前記移動部によって前記媒体及び前記吐出部を移動方向に相対的に移動させる移動動作と、によって、前記媒体に画像を形成する画像形成動作を実行可能な液体吐出装置における画像形成方法であって、
第１の画像の形成後に、前記第１の画像に重ねて第２の画像を形成する場合に、前記第１の画像を形成する際の前記移動動作の移動量である第１の移動量と、前記第２の画像を形成する際の前記移動動作の移動量である第２の移動量と、を個別に設定し、
前記第１の画像の形成に伴って前記媒体が膨張する場合に、前記第１の移動量の減少、及び第２の移動量の増加、のうち少なくとも一方を実行することを特徴とする画像形成方法。
【請求項１０】
液体を吐出可能な吐出部と、媒体及び前記吐出部を相対的に移動可能な移動部と、を備え、前記吐出部によって前記液体を吐出させる吐出動作と、前記移動部によって前記媒体及び前記吐出部を移動方向に相対的に移動させる移動動作と、によって、前記媒体に画像を形成する画像形成動作を実行可能な液体吐出装置における画像形成方法であって、
第１の画像の形成後に、前記第１の画像に重ねて第２の画像を形成する場合に、前記第１の画像を形成する際の前記移動動作の移動量である第１の移動量と、前記第２の画像を形成する際の前記移動動作の移動量である第２の移動量と、を個別に設定し、
前記第１の画像の形成に伴って前記媒体が収縮する場合に、前記第１の移動量の増加、及び前記第２の移動量の減少、のうち少なくとも一方を実行することを特徴とする画像形成方法。
【発明の詳細な説明】
【技術分野】
【０００１】
本発明は、液体吐出装置及び画像形成方法に関する。
【背景技術】
【０００２】
従来から、媒体に液体を吐出して該媒体に画像を形成する液体吐出装置が使用されてい
る。このような液体吐出装置では、液体の吐出部と媒体とを相対移動させて該媒体に画像
を形成するものが一般的である。  
例えば、特許文献１には、所定の搬送条件に応じて、媒体の搬送量を可変な液体吐出装
置が開示されている。
【先行技術文献】
【特許文献】
【０００３】
【特許文献１】特開２００８−２００８９３号公報
【発明の概要】
【発明が解決しようとする課題】
【０００４】
また、液体の吐出部と媒体とを相対移動させて該媒体に画像を形成する液体吐出装置の
うち、例えば、下地層など第１の液体を用いて第１の画像を形成し、該第１の画像に重ね
て第２の画像を形成することが可能なものが使用されている。このような液体吐出装置に
おいては、第１の画像に重ねて第２の画像を形成する場合に、例えば、第１の画像の形成
に伴って媒体が膨張又は収縮し、第１の画像又は第２の画像のはみ出しが発生する場合が
あった。  
なお、特許文献１には、このような画像のはみ出しに関する記載及び示唆はなく、該画
像のはみ出しを抑制することが可能な構成にはなっていない。
【０００５】
そこで、本発明の目的は、第１の画像に重ねて第２の画像を形成する場合における、第
１の画像又は第２の画像のはみ出しを抑制することを目的にする。
【課題を解決するための手段】
【０００６】
上記課題を解決するための本発明の第１の態様の液体吐出装置は、液体を吐出可能な吐
出部と、媒体及び前記吐出部を相対的に移動可能な移動部と、前記吐出部によって前記液
体を吐出させる吐出動作と、前記移動部によって前記媒体及び前記吐出部を移動方向に相
対的に移動させる移動動作と、によって、前記媒体に画像を形成する画像形成動作を実行
可能な制御部と、を備え、前記制御部は、第１の画像の形成後に、前記第１の画像に重ね
て第２の画像を形成する場合に、前記第１の画像を形成する際の前記移動動作の移動量で
ある第１の移動量と、前記第２の画像を形成する際の前記移動動作の移動量である第２の
移動量と、を個別に変更可能であることを特徴とする。
【０００７】
本発明の第２の態様の液体吐出装置は、前記第１の態様において、前記移動部は、前記
媒体を支持した状態で前記移動方向に移動する媒体支持ユニットであり、前記制御部は、
前記媒体支持ユニットの移動量を変更することで、前記第１の移動量及び前記第２の移動
量を個別に変更可能であることを特徴とする。
【０００８】
本発明の第３の態様の液体吐出装置は、前記第１の態様において、前記移動部は、前記
移動方向に前記媒体を移動させる搬送ローラーであり、前記制御部は、前記搬送ローラー
の回転量を変更することで、前記第１の移動量及び前記第２の移動量を個別に変更可能で
あることを特徴とする。
【０００９】
本発明の第４の態様の液体吐出装置は、前記第１の態様において、前記移動部は、前記
吐出部を有し、前記吐出部と共に前記移動方向に移動する吐出ユニットであり、前記制御
部は、前記吐出ユニットの移動量を変更することで、前記第１の移動量及び前記第２の移
動量を個別に変更可能であることを特徴とする。
【００１０】
本発明の第５の態様の液体吐出装置は、前記第１から第４のいずれか１つの態様におい
て、前記制御部は、前記第１の画像の形成に伴って前記媒体が膨張する場合に、前記第１
の移動量の減少、及び第２の移動量の増加、のうち少なくとも一方を実行することを特徴
とする。
【００１１】
本発明の第６の態様の液体吐出装置は、前記第１から第４のいずれか１つの態様におい
て、前記制御部は、前記第１の画像の形成に伴って前記媒体が収縮する場合に、前記第１
の移動量の増加、及び前記第２の移動量の減少、のうち少なくとも一方を実行することを
特徴とする。
【００１２】
本発明の第７の態様の液体吐出装置は、前記第１から第６のいずれか１つの態様におい
て、前記吐出部は、前記移動方向と交差する交差方向に移動して前記液体を吐出可能であ
り、前記制御部は、前記交差方向に移動して前記液体を吐出する際の吐出タイミングを、
前記第１の画像の形成の際と前記第２の画像の形成の際とで、個別に変更可能であること
を特徴とする。
【００１３】
本発明の第８の態様の液体吐出装置は、前記第１から第７のいずれか１つの態様におい
て、前記制御部は、設定情報に基づいて、前記第１の移動量及び前記第２の移動量のうち
少なくとも一方を変更することを特徴とする。
【００１４】
本発明の第９の態様の液体吐出装置は、前記第８の態様において、前記媒体はテキスタ
イルであり、前記設定情報は、前記媒体の素材、前記媒体の編み方、及び前記媒体を構成
する糸の太さ、のうちの少なくともいずれか１つを含むことを特徴とする。
【００１５】
本発明の第１０の態様の画像形成方法は、液体を吐出可能な吐出部と、媒体及び前記吐
出部を相対的に移動可能な移動部と、を備え、前記吐出部によって前記液体を吐出させる
吐出動作と、前記移動部によって前記媒体及び前記吐出部を移動方向に相対的に移動させ
る移動動作と、によって、前記媒体に画像を形成する画像形成動作を実行可能な液体吐出
装置における画像形成方法であって、第１の画像の形成後に、前記第１の画像に重ねて第
２の画像を形成する場合に、前記第１の画像を形成する際の前記移動動作の移動量である
第１の移動量と、前記第２の画像を形成する際の前記移動動作の移動量である第２の移動
量と、を個別に設定することを特徴とする。
【発明の効果】
【００１６】
本発明によれば、第１の画像に重ねて第２の画像を形成する場合における、第１の画像
又は第２の画像のはみ出しを抑制することができる。
【図面の簡単な説明】
【００１７】
【図１】本発明の実施例１に係る記録装置の概略斜視図。
【図２】本発明の実施例１に係る記録装置の概略正面図。
【図３】本発明の実施例１に係る記録装置のブロック図。
【図４】本発明の実施例１に係る記録装置を用いて行う画像形成の説明図。
【図５】本発明の実施例１に係る記録装置を用いて行う画像形成の説明図。
【図６】本発明の実施例２に係る記録装置の概略側面図。
【図７】本発明の実施例３に係る記録装置の概略斜視図。
【図８】本発明の一実施例に係る画像形成方法を表すフローチャート。
【発明を実施するための形態】
【００１８】
以下に、本発明の実施例に係る液体吐出装置としての記録装置について、添付図面を参
照して詳細に説明する。  
また、下記の実施例では、記録ヘッドから下地層としての第１の画像を形成するための
ホワイトインク及び該下地層に重ねて文字や図画などの第２の画像を形成するためのカラ
ーインク（例えばブラック、シアン、マゼンタ及びイエローインク）を吐出して記録を行
うことが可能なインクジェット記録装置を用いて説明している。しかし、本発明の記録装
置は、このような種類のインク（液体）を吐出可能な構成のインクジェット記録装置に限
定されるわけではない。
【００１９】
［実施例１］（図１〜図５）  
最初に、本発明の実施例１に係る記録装置について説明する。  
図１は本発明の実施例１に係る記録装置１の概略斜視図であり、図２は本発明の実施例
１に係る記録装置１の概略正面図である。  
本実施例の記録装置１は、媒体Ｐを支持した状態で移動方向Ａに移動する媒体支持ユニ
ット２を備えている。媒体支持ユニット２は、媒体の支持部分であるトレイ４を有してい
る。記録装置１は、トレイ４に支持された媒体Ｐ（図４参照）を移動方向Ａに搬送する（
媒体Ｐ及び後述の吐出部としての記録ヘッド７を相対的に移動する）媒体搬送部３を備え
ている。また、トレイ４はステージ５に載置されている。トレイ４はステージ５と共に、
回転レバー２０を回転させることにより、高さ方向Ｃに移動する。
【００２０】
また、記録装置１の本体内部にはインク（液体の一例）を吐出可能な記録ヘッド７が備
えられている。本実施例において、記録ヘッド７は、液体を吐出可能な吐出部に相当する
。つまり、液体吐出装置は、液体を吐出可能な吐出部を備えている。そして、本実施例の
記録装置１は、記録ヘッド７が設けられたキャリッジ６を移動方向Ａと交差する交差方向
Ｂに往復移動させることで、インクを吐出する吐出部としての記録ヘッド７を交差方向Ｂ
に往復移動させながら、記録ヘッド７からトレイ４に支持された媒体Ｐにインクを吐出さ
せて所望の画像を形成する。つまり、吐出部は、移動方向Ａと交差する交差方向に移動し
て液体を吐出可能である。なお、本実施例の記録装置１は、図１中の手前側（左下方向）
がトレイ４への媒体Ｐのセット位置であり、図１中の奥側（右上方向）の記録開始位置ま
で媒体Ｐをセットしたトレイ４を移動した後、図１中の手前側にトレイ４を移動しながら
記録する。このとき、媒体支持ユニット２は、吐出部に対して相対的に移動可能な移動部
であると言える。換言すれば、液体吐出装置は、媒体Ｐ及び吐出部を相対的に移動可能な
移動部を備えている。後述するように、移動部は、他の構成であってもよいが、本実施例
における移動部は、媒体Ｐを支持した状態で移動方向に移動する媒体支持ユニット２であ
る。
【００２１】
次に、本実施形態の記録装置１における電気的な構成について説明する。  
図２は、本実施例の記録装置１のブロック図である。  
制御部８には、記録装置１の全体の制御を司るＣＰＵ９が設けられている。ＣＰＵ９は
、システムバス１０を介して、ＣＰＵ９が実行する各種制御プログラムやメンテナンスシ
ーケンス等を格納したＲＯＭ１１と、データを一時的に格納可能なＲＡＭ１２と、に接続
されている。
【００２２】
また、ＣＰＵ９は、システムバス１０を介して、記録ヘッド７を駆動するためのヘッド
駆動部１３と接続されている。  
また、ＣＰＵ９は、システムバス１０を介して、記録ヘッド７が設けられたキャリッジ
６を移動させるためのキャリッジモーター１４及び媒体Ｐを搬送するために媒体搬送部３
に設けられた搬送モーター１５を駆動させるためのモーター駆動部１６と接続されている
。  
さらに、ＣＰＵ９は、システムバス１０を介して、入出力部１８と接続されており、入
出力部１８は、タッチパネル１９及び記録データ等のデータ及び信号の送受信を行うため
のＰＣ１７と接続されている。
【００２３】
なお、このような構成により、制御部８は、記録ヘッド７及び媒体搬送部３を制御し、
記録ヘッド７による吐出動作と媒体搬送部３による媒体Ｐ及び記録ヘッド７の相対的な移
動動作とによる、媒体Ｐへの画像形成動作を実行可能である。言い換えれば、液体吐出装
置は、吐出部によって液体を吐出させる吐出動作と、移動部によって媒体Ｐ及び吐出部を
移動方向Ａに相対的に移動させる移動動作と、によって、媒体Ｐに画像を形成する画像形
成動作を実行可能な制御部８を備えている。
【００２４】
次に、本発明が解決する課題である、第１の画像に重ねて第２の画像を形成する場合に
おける第１の画像又は第２の画像のはみ出しについて説明する。  
図４は、本実施例の記録装置１を用いて行う画像形成を説明するための図である。詳細
には、薄いグレーで表される第１の画像Ｉ１に重ねて濃いグレーで表される第２の画像Ｉ
２を形成する場合において、第１の画像Ｉ１又は第２の画像Ｉ２のはみ出しＯＥ（Ｏｖｅ
ｒ  Ｅｄｇｅ）が生じる場合と生じない場合を表す図である。  
なお、図中の縦方向（図４における媒体Ｐの長辺に沿う方向）は移動方向Ａに対応し、
図中の横方向（図４における媒体Ｐの短辺に沿う方向）は記録ヘッド７の走査方向である
交差方向Ｂに対応している。
【００２５】
ここで、図４（Ａ）は、媒体Ｐにホワイトインクにより下地層としての第１の画像Ｉ１
を形成した状態を表している。なお、本実施例で使用した媒体Ｐは、テキスタイルであり
、インクが付与されることで図中の縦方向に膨潤しやすい性質のものである。なお、一般
的に、衣服などのテキスタイルの媒体Ｐに記録を行う場合、インクが付着することで着丈
方向に伸び縮みする場合が多い。これは、媒体Ｐのセット方向や、セット方向に対応する
糸の編まれた方向などに起因するものである。本実施例においては、着丈方向に沿って媒
体Ｐがセットされ、着丈方向に沿って媒体Ｐ及び吐出部が相対的に移動しながら記録が行
われる。つまり、着丈方向に沿う方向が移動方向Ａとなる。したがって、本実施例におい
ては、媒体Ｐは移動方向Ａに沿う方向に伸び縮みする場合が多くなる。
【００２６】
また、図４（Ｂ）は、第１の画像Ｉ１に重ねて第２の画像Ｉ２を形成した際の状態を表
しており、第１の画像Ｉ１を形成する際の媒体Ｐの搬送量と第２の画像Ｉ２を形成する際
の媒体Ｐの搬送量とを同一の搬送量（共に初期値）とした場合の画像形成状態を表してい
る。なお、「初期値」とは、デフォルトで設定されている値であってもよいし、ユーザー
が印刷設定を行うことによって設定されるものであってもよい。この場合、初期値のこと
を「設定値」と言うこともできる。また、第１の画像Ｉ１を形成する際の媒体Ｐの搬送量
の初期値と、第２の画像Ｉ２を形成する際の媒体Ｐの搬送量の初期値とは、同一でなくて
もよい。  
ここで、第２の画像Ｉ２は、カラーインクで形成された画像であり、下地層である第１
の画像Ｉ１と同じ大きさの画像を媒体Ｐに形成することを想定したものである。詳細には
、第１の画像Ｉ１に対して第２の画像Ｉ２がはみ出すことなく、さらに、第２の画像Ｉ２
に対しても第１の画像Ｉ１がはみ出すことなく、画像が形成されることを想定したもので
ある。
【００２７】
しかしながら、インクが付与されることで膨潤しやすい媒体Ｐを使用すると、第１の画
像Ｉ１を形成することに伴って媒体Ｐが図中の縦方向（移動方向Ａ）に膨潤して該縦方向
に第１の画像Ｉ１が伸びる。このため、図４（Ｂ）で表されるように、第１の画像Ｉ１と
同一の大きさの画像である第２の画像Ｉ２を、第１の画像Ｉ１を形成する際の媒体Ｐの搬
送量と第２の画像Ｉ２を形成する際の媒体Ｐの搬送量とを同一の搬送量として形成すると
、第２の画像Ｉ２に対する第１の画像Ｉ１のはみ出しＯＥが生じてしまう。
【００２８】
そこで、本実施例の記録装置１は、インクが付与されることで膨潤しやすい媒体Ｐを使
用する場合に、第１の画像Ｉ１を形成する際の媒体Ｐの搬送量と第２の画像Ｉ２を形成す
る際の媒体Ｐの搬送量とを個別に設定可能な構成になっている。  
別の表現をすると、本実施例の記録装置１は、制御部８によって、記録ヘッド７及び媒
体搬送部３を制御することにより、第１の画像形成動作による第１の画像Ｉ１の形成後に
第２の画像形成動作により第１の画像Ｉ１に重ねて第２の画像Ｉ２を形成する場合に、第
１の画像形成動作に伴う媒体Ｐ及び記録ヘッド７の相対的な移動方向Ａの第１の移動量と
、第２の画像形成動作に伴う相対的な移動方向Ａの第２の移動量と、を個別に変更可能で
ある。つまり、制御部８は、第１の画像Ｉ１の形成後に、第１の画像Ｉ１に重ねて第２の
画像Ｉ２を形成する場合に、第１の画像Ｉ１を形成する際の移動動作の移動量である第１
の移動量と、第２の画像Ｉ２を形成する際の移動動作の移動量である第２の移動量と、を
個別に変更可能である。  
このため、相対的な移動方向Ａにおいて、第１の画像Ｉ１に重ねて第２の画像Ｉ２を形
成する場合における第１の画像Ｉ１又は第２の画像Ｉ２のはみ出しを抑制することができ
る。  
なお、本実施例の記録装置１は、媒体Ｐ及び記録ヘッド７の移動方向Ａへの相対的な移
動動作と、該相対的な移動動作を停止し記録ヘッド７の交差方向Ｂへ移動しつつインクを
吐出する吐出動作と、を交互に繰り返して記録する、所謂媒体Ｐを間欠搬送しながら画像
を形成する構成である。そして、ここでの「第１の移動量」及び「第２の移動量」は、該
間欠搬送における１回の移動量である。  
また、第１の移動量の設定及び第２の移動量の設定は、ユーザーがＰＣ１７やタッチパ
ネル１９等から入力することにより設定することも、使用する媒体Ｐの種類等から制御部
８が自動で設定することも可能であるが、特に限定はない。
また、媒体Ｐが伸び縮みしやすい方向は、着丈方向以外であってもよい。例えば、媒体
Ｐが伸び縮みしやすい方向は身幅方向等であってもよい。このとき、媒体Ｐが伸び縮みし
やすい方向が、移動方向Ａに沿う方向となるように媒体Ｐをセットすることが好ましい。
【００２９】
ここで、図４（Ｃ）は、相対的な移動方向Ａにおいて、第１の画像Ｉ１に重ねて第２の
画像Ｉ２を形成する場合における第１の画像Ｉ１又は第２の画像Ｉ２のはみ出しを抑制し
た状態を表している。
【００３０】
具体的には、制御部８は、第１の画像Ｉ１の形成に伴って媒体Ｐが膨張する場合に、第
１の移動量の減少、及び第２の移動量の増加、のうち少なくとも一方を実行する。例えば
、第１の移動量を設定値から減少させれば、第１の移動量として設定値を用いる場合と比
べて、第１の画像Ｉ１の移動方向Ａにおけるサイズが小さくなる。したがって、媒体Ｐの
膨張に伴う、第１の画像Ｉ１の移動方向Ａにおけるサイズの拡大を抑制することができる
。そのため、第１の画像Ｉ１のはみ出しを抑制することができる。また、第２の移動量を
設定値から増加させれば、第２の移動量として設定値を用いる場合と比べて、第２の画像
Ｉ２の移動方向Ａにおけるサイズが大きくなる。したがって、媒体Ｐの膨張に伴う第１の
画像Ｉ１の移動方向Ａにおけるサイズの拡大に合わせて、第２の画像Ｉ２の移動方向Ａに
おけるサイズを拡大し、第１の画像Ｉ１のはみ出しを抑制することができる。  
なお、第１の移動量と、第２の移動量とで、設定値が同じ移動量であった場合には、第
１の移動量が第２の移動量よりも小さくなることとなる。このように、本実施例の記録装
置１は、制御部８の制御により、第１の画像形成動作に伴って媒体Ｐが膨張する場合に、
第１の移動量が第２の移動量よりも小さくなるように、第１の移動量及び第２の移動量少
なくとも一方を変更することができる。このため、インクが付着することにより膨張する
媒体Ｐを使用した場合において、第１の画像Ｉ１に重ねて第２の画像Ｉ２を形成する場合
における第１の画像Ｉ１又は第２の画像Ｉ２のはみ出しを抑制することができる構成にな
っている。  
なお、このような場合、本実施例の制御部８は、例えば、初期値（設定値）に対して、
第１の移動量を小さくする制御、第２の移動量を大きくする制御、第１の移動量を小さく
しつつ第２の移動量を大きくする制御の何れを実行することも可能である。
【００３１】
一方、制御部８は、第１の画像Ｉ１の形成に伴って媒体Ｐが収縮する場合に、第１の移
動量の増加、及び第２の移動量の減少、のうち少なくとも一方を実行する。例えば、第１
の移動量を本来の設定値から増加させれば、第１の移動量として設定値を用いる場合と比
べて、第１の画像Ｉ１の移動方向Ａにおけるサイズが大きくなる。したがって、媒体Ｐの
収縮に伴う、第１の画像Ｉ１の移動方向Ａにおけるサイズの縮小を抑制することができる
。そのため、第２の画像Ｉ２のはみ出しを抑制することができる。また、第２の移動量を
本来の設定値から減少させれば、第２の移動量として設定値を用いる場合と比べて、第２
の画像Ｉ２の移動方向Ａにおけるサイズが小さくなる。したがって、媒体Ｐの収縮に伴う
第１の画像Ｉ１の移動方向Ａにおけるサイズの縮小に合わせて、第２の画像Ｉ２の移動方
向Ａにおけるサイズを縮小し、第２の画像Ｉ２のはみ出しを抑制することができる。  
なお、第１の移動量と、第２の移動量とで、設定値が同じ移動量であった場合には、第
１の移動量が第２の移動量よりも大きくなることとなる。このように、本実施例の記録装
置１は、制御部８の制御により、第１の画像形成動作に伴って媒体Ｐが収縮する場合に、
第１の移動量が第２の移動量よりも大きくなるように、第１の移動量及び第２の移動量少
なくとも一方を変更することもできる。このため、インクが付着することにより収縮する
媒体Ｐを使用した場合において、第１の画像Ｉ１に重ねて第２の画像Ｉ２を形成する場合
における第１の画像Ｉ１又は第２の画像Ｉ２のはみ出しを抑制することができる構成にな
っている。  
なお、このような場合、本実施例の制御部８は、例えば、初期値（設定値）に対して、
第１の移動量を大きくする制御、第２の移動量を小さくする制御、第１の移動量を大きく
しつつ第２の移動量を小さくする制御の何れを実行することも可能である。
【００３２】
ここで、第１の移動量及び第２の移動量の変更について説明する。  
図５は、本実施例の記録装置１を用いて行う画像形成を説明するための図である。詳細
には、第１の移動量（第２の移動量）が通常（初期値）の場合（図５（Ａ））、第１の移
動量（第２の移動量）を初期値よりも小さくした場合（図５（Ｂ））、第１の移動量（第
２の移動量）を初期値よりも大きくした場合（図５（Ｃ））、を表す図である。  
なお、図中の縦方向は移動方向Ａに対応し、図中の横方向は記録ヘッド７の走査方向で
ある交差方向Ｂに対応している。
【００３３】
本実施例の記録装置１は、停止した媒体Ｐに対して交差方向Ｂに記録ヘッド７を移動さ
せつつインクを吐出して１走査目の記録（画像形成領域Ｓ１）を行い（吐出動作）、その
後、第１の移動量及び第２の移動量が対応する所定の搬送量媒体Ｐを搬送し（移動動作）
、停止した媒体Ｐに対して交差方向Ｂに記録ヘッド７を移動させつつインクを吐出して１
走査目の記録（画像形成領域Ｓ２）を行う（吐出動作）ことができる。そして、この吐出
動作と移動動作とを繰り返すことにより、第１の画像Ｉ１及び第２の画像Ｉ２を形成する
（画像形成動作を実行する）ことができる。  
なお、上記は、記録される画像の同一カ所を１回の走査で記録する所謂１パス記録を例
に説明したが、本実施例の記録装置１は記録される画像の同一カ所を複数回の走査で記録
する所謂多パス記録を行うことも可能である。
【００３４】
ここで、図５（Ａ）は、１パス記録を行う際の第１の移動量及び第２の移動量が通常の
場合の例を表しており、画像形成領域Ｓ１から画像形成領域Ｓ４までの記録ヘッド７の走
査に対応する画像形成領域を表している。  
図５（Ａ）で表されるように、第１の移動量及び第２の移動量が通常の場合、各々の走
査に対応する画像形成領域Ｓ１からＳ４は、間隔なく、また、重なることなく縦方向（移
動方向Ａ）に隣接している。
【００３５】
また、図５（Ｂ）は、１パス記録を行う際の第１の移動量及び第２の移動量を通常の場
合よりも小さくした例を表しており、画像形成領域Ｓ１からＳ４までの記録ヘッド７の走
査に対応する画像形成領域を表している。  
図５（Ｂ）で表されるように、第１の移動量及び第２の移動量が通常よりも小さい場合
、各々の走査に対応する画像形成領域Ｓ１からＳ４は、重なりＯｖ（ハッチングで示す領
域）を有した状態で縦方向（移動方向Ａ）に隣接している。  
例えば、第１の画像形成動作に伴って媒体Ｐが膨張する場合における第１の移動量や、
第１の画像形成動作に伴って媒体Ｐが収縮する場合における第２の移動量を、このように
通常よりも小さい移動量とすることが好ましい。
【００３６】
また、図５（Ｃ）は、１パス記録を行う際の第１の移動量及び第２の移動量を通常の場
合よりも大きくした例を表しており、画像形成領域Ｓ１からＳ４までの記録ヘッド７の走
査に対応する画像形成領域を表している。  
図５（Ｃ）で表されるように、第１の移動量及び第２の移動量が通常よりも大きい場合
、各々の走査に対応する画像形成領域Ｓ１からＳ４は、間隔Ｓｐを有した状態で縦方向（
移動方向Ａ）に隣接している。  
例えば、第１の画像形成動作に伴って媒体Ｐが収縮する場合における第１の移動量や、
第１の画像形成動作に伴って媒体Ｐが膨張する場合における第２の移動量を、このように
通常よりも大きい移動量とすることが好ましい。
【００３７】
このように、本実施例の記録装置１は、移動方向Ａにおける第１の画像Ｉ１又は第２の
画像Ｉ２のはみ出しＯＥを抑制することが可能な構成になっている。  
さらに、本実施例の記録装置１は、移動方向Ａと交差する交差方向Ｂにおけるはみ出し
を抑制することができる構成になっている。  
具体的には、本実施例の制御部８は、記録ヘッド７が交差方向Ｂに移動してインクを吐
出する際の吐出タイミングを、第１の画像Ｉ１の形成の際と第２の画像Ｉ２の形成の際と
で、個別に変更可能である。例えば、インクが付与されることに伴って交差方向Ｂに膨張
する媒体Ｐを使用する場合、第１の画像Ｉ１を形成する際の１回あたりの吐出動作にかけ
る時間を短縮するように吐出タイミングを変更したり、第２の画像Ｉ２を形成する際の１
回あたりの吐出動作にかける時間を引き延ばすように吐出タイミングを変更したりすれば
よい。また、インクが付与されることに伴って交差方向Ｂに収縮する媒体Ｐを使用する場
合、第１の画像Ｉ１を形成する際の１回あたりの吐出動作にかける時間を引き延ばすよう
に吐出タイミングを変更したり、第２の画像Ｉ２を形成する際の１回あたりの吐出動作に
かける時間を短縮するように吐出タイミングを変更したりすればよい。
【００３８】
また、本実施例の制御部８は、ＰＣ１７やタッチパネル１９を介してユーザーから入力
されるなどして設定された設定情報に基づいて、第１の移動量及び第２の移動量を個別に
変更可能である。設定情報に基づいて変更するのは、第１の移動量及び第２の移動量のう
ち、一方でもよい。つまり、制御部８は、設定情報に基づいて、第１の移動量及び第２の
移動量のうち少なくとも一方を変更する。このため、本実施例の記録装置１は、予め定め
られた設定情報に応じて、高い精度で、第１の画像Ｉ１に重ねて第２の画像Ｉ２を形成す
る場合における第１の画像Ｉ１又は第２の画像Ｉ２のはみ出しを抑制することができる。
なお、「設定情報」に特に限定はないが、例えば、媒体Ｐの種類、媒体Ｐへのインクの
付与量、環境条件（温度、湿度等）、インク（液体）の種類などが挙げられる。
【００３９】
また、媒体Ｐとしてテキスタイルを使用する場合、設定情報として、媒体Ｐの素材、媒
体Ｐの編み方、及び媒体Ｐを構成する糸の太さ、のうちの少なくともいずれか１つを設定
できることが好ましい。  
該設定情報が、媒体Ｐの素材、媒体Ｐの編み方及び該媒体Ｐを構成する糸の太さのうち
の少なくともいずれか１つを含んでいれば、媒体Ｐとしてテキスタイルを使用した場合に
おいて、高い精度で、第１の画像Ｉ１に重ねて第２の画像Ｉ２を形成する場合における第
１の画像Ｉ１又は第２の画像Ｉ２のはみ出しを抑制することができるためである。
【００４０】
ここで、本実施例の記録装置１における記録ヘッド７と媒体Ｐとを相対移動させる移動
部は、媒体Ｐをトレイ４で支持した状態で、記録ヘッド７と媒体Ｐとの相対的な移動方向
である移動方向Ａに沿って移動する媒体支持ユニット２である。そして、制御部８は、媒
体支持ユニット２の相対的な移動方向の移動量を変更することで、第１の移動量及び第２
の移動量を個別に変更可能である。換言すれば、制御部８は、媒体支持ユニット２の移動
量を変更することで、第１の移動量及び第２の移動量を個別に変更可能である。  
このように、本実施例の記録装置１は、移動部として媒体支持ユニット２を備える記録
装置である。そして、このような構成において、第１の画像Ｉ１に重ねて第２の画像Ｉ２
を形成する場合における第１の画像Ｉ１又は第２の画像Ｉ２のはみ出しを抑制している。
ただし、本実施例の記録装置１のような媒体Ｐを支持した媒体支持ユニット２を記録ヘ
ッド７に対して移動させる構成に限定されない。  
以下に、本実施例とは別の構成の移動部を備えた記録装置について説明する。
【００４１】
［実施例２］（図６）  
次に、本発明の実施例２に係る記録装置について説明する。  
図６は、本発明の実施例２に係る記録装置２１の概略側面図である。
【００４２】
本実施例の記録装置２１は、ロール状の媒体Ｐのセット部２２を備えている。そして、
該セット部２２から、媒体Ｐの支持部であるプラテン２４を介して、媒体Ｐをロール状に
巻き取る巻取部２５まで、媒体Ｐを移動方向Ａに搬送することが可能である。すなわち、
セット部２から巻取部４までが記録装置２１における媒体Ｐの搬送経路である。なお、セ
ット部２は回転方向Ｄに媒体Ｐを回転して該媒体Ｐを送出し、巻取部４は回転方向Ｄに回
転して媒体Ｐを巻き取る。
【００４３】
また、本実施例の記録装置２１は、媒体Ｐの搬送経路に、移動方向Ａと交差する交差方
向Ｂの回転軸を有するローラー対で構成される搬送ローラー２３が設けられている。本実
施例において、搬送ローラー３２が移動部に相当する。つまり、本実施例における移動部
は、移動方向Ａに媒体Ｐを移動させる搬送ローラー２３である。このような構成により、
本実施例の記録装置２１は、媒体Ｐの搬送経路において、セット部２から送出された媒体
Ｐを搬送ローラー２３が搬送し、搬送ローラー２３により巻取部４まで搬送された該媒体
Ｐを巻取部４で巻き取る。
【００４４】
また、本実施例の記録装置２１は、インクを吐出する吐出部としての記録ヘッド２７が
備えられている。記録装置２１は、キャリッジ２６を介して交差方向Ｂに記録ヘッド２７
を往復移動させながら、記録ヘッド２７から媒体Ｐにインクを吐出させて、所望の画像を
形成する。このような構成により、記録ヘッド２７は、媒体Ｐにインクを吐出して画像を
形成することができる。
【００４５】
このように、本実施例の記録装置２１における記録ヘッド２７と媒体Ｐとを相対移動さ
せる移動部は、交差方向Ｂに回転軸を有する搬送ローラー２３である。そして、不図示の
制御部８は、搬送ローラー２３の回転量を変更することで、第１の画像形成動作に伴う媒
体Ｐ及び記録ヘッド２７の相対的な移動方向Ａの第１の移動量と、第２の画像形成動作に
伴う相対的な移動方向Ａの第２の移動量と、を個別に変更可能である。  
このため、移動部として搬送ローラー２３を備える本実施例の記録装置２１は、第１の
画像Ｉ１に重ねて第２の画像Ｉ２を形成する場合における第１の画像Ｉ１又は第２の画像
Ｉ２のはみ出しを抑制することができる構成になっている。
【００４６】
［実施例３］（図７）  
次に、本発明の実施例３に係る記録装置について説明する。  
図７は、本発明の実施例７に係る記録装置３１の概略斜視図である。
【００４７】
本実施例の記録装置３１は、所謂フラットベッドタイプの記録装置である。記録装置３
１は、媒体Ｐを支持可能な媒体支持部３４を備えている。そして、記録装置３１は、イン
クを吐出する吐出部としての記録ヘッド３７を備えた本体部３２を、媒体支持部３４に対
して移動方向Ａに移動させることが可能である。すなわち、本体部３２は、媒体Ｐと記録
ヘッド３７とを相対的に移動方向Ａに移動させることが可能な吐出ユニットの役割を兼ね
ている。つまり、本実施例における移動部は、吐出部を有し、吐出部と共に移動方向Ａに
移動する吐出ユニットである。  
また、記録ヘッド３７は、本体部３２においてキャリッジ３６を介して移動方向Ａと交
差する交差方向Ｂに移動可能である。そして、本実施例の記録装置３１は、キャリッジ３
６を介して交差方向Ｂに記録ヘッド３７を往復移動させながら、記録ヘッド３７から媒体
Ｐにインクを吐出させて、所望の画像を形成する。このような構成により、記録ヘッド３
７は、媒体Ｐにインクを吐出して画像を形成することができる。
【００４８】
このように、本実施例の記録装置３１における記録ヘッド３７と媒体Ｐとを相対移動さ
せる移動部は、媒体Ｐが支持された媒体支持部３４に対して記録ヘッド３７を相対的な移
動方向Ａに移動可能な吐出ユニットとしての本体部３２である。そして、不図示の制御部
８は、本体部３２の相対的な移動方向Ａの移動量を変更することで、第１の画像形成動作
に伴う媒体Ｐ及び記録ヘッド３７の相対的な移動方向Ａの第１の移動量と、第２の画像形
成動作に伴う相対的な移動方向Ａの第２の移動量と、を個別に変更可能である。言い換え
れば、制御部８は、吐出ユニットの移動量を変更することで、第１の移動量及び第２の移
動量を個別に変更可能である。  
このため、移動部として吐出ユニットとしての本体部３２を備える所謂フラットベッド
タイプの本実施例の記録装置３１は、第１の画像Ｉ１に重ねて第２の画像Ｉ２を形成する
場合における第１の画像Ｉ１又は第２の画像Ｉ２のはみ出しを抑制することができる構成
になっている。
【００４９】
［画像形成方法の実施例］（図８）  
次に、一実施例に係る画像形成方法について図８を用いて説明する。  
なお、本実施例の画像形成方法は、実施例１の記録装置１を用いて実行された画像形成
方法の一実施例である。ただし、実施例２の記録装置２１及び実施例３の記録装置３１を
用いても、媒体Ｐと吐出部との相対移動方法を変更することにより、本実施例の画像形成
方法と同様に画像形成方法を実行可能である。
【００５０】
図８で表されるように、トレイ４の媒体Ｐがセットされ、ＰＣ１７から記録装置１に記
録データが入力されて本実施例の画像形成方法が開始されると、最初に、ステップＳ１１
０で、制御部８は、設定情報を確認する。ここで、設定情報とは、上記のような、媒体Ｐ
の種類、媒体Ｐへのインクの付与量、環境条件（温度、湿度等）、インク（液体）の種類
などであり、ユーザーがＰＣ１７やタッチパネル１９を介して入力するもの、記録装置１
が検出するもの、何れであってもよい。
【００５１】
次に、ステップＳ１２０で、制御部８は、第１の画像形成動作に伴う記録ヘッド７と媒
体Ｐとの相対的な移動方向である移動方向Ａの第１の移動量と、第２の画像形成動作に伴
う移動方向Ａの第２の移動量と、を個別に設定する。別の表現をすると、第１の画像形成
動作による第１の画像Ｉ１の形成後に第２の画像形成動作により第１の画像Ｉ１に重ねて
第２の画像Ｉ２を形成する場合に、移動方向Ａの第１の移動量と移動方向Ａの第２の移動
量とを個別に設定する。  
ここで、インクが付与されることで膨潤しやすい媒体Ｐを使用する場合には、第１の移
動量が第２の移動量よりも小さくなるように、第１の移動量及び第２の移動量少なくとも
一方を変更する。そして、インクが付与されることで収縮しやすい媒体Ｐを使用する場合
には、第１の移動量が第２の移動量よりも大きくなるように、第１の移動量及び第２の移
動量少なくとも一方を変更する。なお、本実施例の画像形成方法では、第２の移動量を初
期値のままとし、第１の移動量を変更させるが、第１の移動量を初期値のままとし、第２
の移動量を変更させてもよい。
【００５２】
次に、ステップＳ１３０で、ステップＳ１２０により設定された第１の移動量に基づい
て記録ヘッド７と媒体Ｐとを相対的に移動させながら、ホワイトインクによる下地層であ
る第１の画像Ｉ１を形成する。  
なお、第１の画像Ｉ１の形成は、図１中の手前側（左下方向）でトレイ４へ媒体Ｐをユ
ーザーがセットし、媒体搬送部３により、図１中の奥側（右上方向）の記録開始位置まで
媒体Ｐをセットしたトレイ４を移動した後、図１中の手前側にトレイ４を移動しながら記
録することで実行される。
【００５３】
次に、ステップＳ１４０で、ステップＳ１２０により設定された第２の移動量に基づい
て記録ヘッド７と媒体Ｐとを相対的に移動させながら、カラーインクによって第１の画像
Ｉ１に重ねて第２の画像Ｉ２を形成する。  
なお、第２の画像Ｉ２の形成も、媒体搬送部３により、図１中の手前側（左下方向）か
ら図１中の奥側（右上方向）の記録開始位置まで媒体Ｐをセットしたトレイ４を移動した
後、図１中の手前側にトレイ４を移動しながら記録することで実行される。
そして、ステップＳ１４０による第２の画像Ｉ２の形成の終了に伴って、本実施例の画
像形成方法を終了する。
【００５４】
本実施例の画像形成方法によれば、第１の画像Ｉ１の形成後に第１の画像Ｉ１に重ねて
第２の画像Ｉ２を形成する場合に、第１の画像形成動作に伴う移動方向Ａの第１の移動量
と、第２の画像形成動作に伴う移動方向Ａの第２の移動量と、を個別に設定する。言い換
えれば、本実施例の画像形成方法は、液体を吐出可能な吐出部と、媒体Ｐ及び吐出部を相
対的に移動可能な移動部と、を備え、吐出部によって液体を吐出させる吐出動作と、移動
部によって媒体Ｐ及び吐出部を移動方向Ａに相対的に移動させる移動動作と、によって、
媒体Ｐに画像を形成する画像形成動作を実行可能な液体吐出装置における画像形成方法で
あって、第１の画像Ｉ１の形成後に、第１の画像Ｉ１に重ねて第２の画像Ｉ２を形成する
場合に、第１の画像Ｉ１を形成する際の移動動作の移動量である第１の移動量と、第２の
画像Ｉ２を形成する際の移動動作の移動量である第２の移動量と、を個別に設定する画像
形成方法である。このため、記録ヘッド７と媒体Ｐとの相対的な移動方向において、第１
の画像Ｉ１に重ねて第２の画像Ｉ２を形成する場合における第１の画像Ｉ１又は第２の画
像Ｉ２のはみ出しを抑制することができる。
【００５５】
なお、本発明は上記実施例に限定されることなく、特許請求の範囲に記載した発明の範
囲内で種々の変形が可能であり、それらも本発明の範囲内に含まれることは言うまでもな
い。  
以上、本発明について具体的な実施例に基づいて詳述した。ここで、本発明について、
もう一度まとめて説明する。
【００５６】
本発明の第１の態様の液体吐出装置１（２１及び３１）は、液体を吐出可能な吐出部（
７、２７及び３７）と、媒体Ｐ及び吐出部（７、２７及び３７）を相対的に移動可能な移
動部（２、２３及び３２）と、吐出部（２７及び３７）及び移動部（２、２３及び３２）
を制御し、吐出部（２７及び３７）による吐出動作と移動部（２、２３及び３２）による
媒体Ｐ及び吐出部（２７及び３７）の前記相対的な移動動作とによる、媒体Ｐへの画像形
成動作を実行可能な制御部８と、を備え、制御部８は、第１の画像形成動作による第１の
画像Ｉ１の形成後に第２の画像形成動作により第１の画像Ｉ１に重ねて第２の画像Ｉ２を
形成する場合に、前記第１の画像形成動作に伴う相対的な移動方向Ａの第１の移動量と、
前記第２の画像形成動作に伴う相対的な移動方向Ａの第２の移動量と、を個別に変更可能
であることを特徴とする。
【００５７】
本態様によれば、第１の画像Ｉ１の形成後に第１の画像Ｉ１に重ねて第２の画像Ｉ２を
形成する場合に、第１の画像形成動作に伴う相対的な移動方向Ａの第１の移動量と、第２
の画像形成動作に伴う相対的な移動方向Ａの第２の移動量と、を個別に変更可能である。
このため、相対的な移動方向Ａにおいて、第１の画像Ｉ１に重ねて第２の画像Ｉ２を形成
する場合における第１の画像Ｉ１又は第２の画像Ｉ２のはみ出しを抑制することができる
。
【００５８】
本発明の第２の態様の液体吐出装置１は、前記第１の態様において、移動部は、媒体Ｐ
を支持した状態で、相対的な移動方向Ａに沿って移動する媒体支持ユニット２であり、制
御部８は、媒体支持ユニット２の前記相対的な移動方向の移動量を変更することで、前記
第１の移動量及び前記第２の移動量を個別に変更可能であることを特徴とする。
【００５９】
本態様によれば、移動部は、媒体Ｐを支持した状態で、相対的な移動方向Ａに沿って移
動する媒体支持ユニット２である。このため、移動部として媒体支持ユニット２を備える
液体吐出装置１において、第１の画像Ｉ１に重ねて第２の画像Ｉ２を形成する場合におけ
る第１の画像Ｉ１又は第２の画像Ｉ２のはみ出しを抑制することができる。
【００６０】
本発明の第３の態様の液体吐出装置２１は、前記第１の態様において、移動部は、相対
的な移動方向Ａと交差する交差方向Ｂに回転軸を有する搬送ローラー２３であり、制御部
８は、搬送ローラー２３の回転量を変更することで、前記第１の移動量及び前記第２の移
動量を個別に変更可能であることを特徴とする。
【００６１】
本態様によれば、移動部は、相対的な移動方向Ａと交差する交差方向Ｂに回転軸を有す
る搬送ローラー２３である。このため、移動部として搬送ローラー２３を備える液体吐出
装置２１において、第１の画像Ｉ１に重ねて第２の画像Ｉ２を形成する場合における第１
の画像Ｉ１又は第２の画像Ｉ２のはみ出しを抑制することができる。
【００６２】
本発明の第４の態様の液体吐出装置３１は、前記第１の態様において、移動部３２は、
媒体Ｐが支持された支持部３４に対して吐出部３７を相対的な移動方向Ａに移動可能な吐
出ユニット３２であり、制御部８は、吐出ユニット３２の相対的な移動方向Ａの移動量を
変更することで、前記第１の移動量及び前記第２の移動量を個別に変更可能であることを
特徴とする。
【００６３】
本態様によれば、移動部３２は、媒体Ｐが支持された支持部３４に対して吐出部３７を
相対的な移動方向Ａに移動可能な吐出ユニット３２である。このため、移動部３２として
吐出ユニット３２を備える所謂フラットベッドタイプの液体吐出装置３１において、第１
の画像Ｉ１に重ねて第２の画像Ｉ２を形成する場合における第１の画像Ｉ１又は第２の画
像Ｉ２のはみ出しを抑制することができる。
【００６４】
本発明の第５の態様の液体吐出装置１（２１及び３１）は、前記第１から第４のいずれ
か１つの態様において、制御部８は、前記第１の画像形成動作に伴って媒体Ｐが膨張する
場合に、前記第１の移動量が前記第２の移動量よりも小さくなるように、前記第１の移動
量及び前記第２の移動量少なくとも一方を変更することを特徴とする。
【００６５】
本態様によれば、第１の画像形成動作に伴って媒体Ｐが膨張する場合に、第１の移動量
が第２の移動量よりも小さくなるように、第１の移動量及び第２の移動量少なくとも一方
を変更する。このため、液体が付着することにより膨張する媒体Ｐを使用した場合におい
て、第１の画像Ｉ１に重ねて第２の画像Ｉ２を形成する場合における第１の画像Ｉ１又は
第２の画像Ｉ２のはみ出しを抑制することができる。
【００６６】
本発明の第６の態様の液体吐出装置１（２１及び３１）は、前記第１から第４のいずれ
か１つの態様において、制御部８は、前記第１の画像形成動作に伴って媒体Ｐが収縮する
場合に、前記第１の移動量が前記第２の移動量よりも大きくなるように、前記第１の移動
量及び前記第２の移動量少なくとも一方を変更することを特徴とする。
【００６７】
本態様によれば、第１の画像形成動作に伴って媒体Ｐが収縮する場合に、第１の移動量
が第２の移動量よりも小さくなるように、第１の移動量及び第２の移動量少なくとも一方
を変更する。このため、液体が付着することにより収縮する媒体Ｐを使用した場合におい
て、第１の画像Ｉ１に重ねて第２の画像Ｉ２を形成する場合における第１の画像Ｉ１又は
第２の画像Ｉ２のはみ出しを抑制することができる。
【００６８】
本発明の第７の態様の液体吐出装置１（２１及び３１）は、前記第１から第６のいずれ
か１つの態様において、吐出部（７、２７及び３７）は、相対的な移動方向Ａと交差する
交差方向Ｂに移動して前記液体を吐出可能であり、制御部８は、交差方向Ｂに移動して前
記液体を吐出する際の吐出タイミングを、第１の画像Ｉ１の形成の際と第２の画像Ｉ２の
形成の際とで、個別に変更可能であることを特徴とする。
【００６９】
本態様によれば、吐出部（７、２７及び３７）は交差方向Ｂに移動して液体を吐出可能
であり、制御部８は、交差方向Ｂに移動して液体を吐出する際の吐出タイミングを、第１
の画像Ｉ１の形成の際と、第２の画像Ｉ２の形成の際とで、個別に変更可能である。この
ため、吐出部（７、２７及び３７）を交差方向Ｂに移動して液体を吐出する構成の液体吐
出装置１（２１及び３１）において、第１の画像Ｉ１に重ねて第２の画像Ｉ２を形成する
場合における、第１の画像Ｉ１又は第２の画像Ｉ２の交差方向Ｂにおけるはみ出しを抑制
することができる。
【００７０】
本発明の第８の態様の液体吐出装置１（２１及び３１）は、前記第１から第７のいずれ
か１つの態様において、制御部８は、予め定められた設定情報に基づいて、前記第１の移
動量及び前記第２の移動量を個別に変更可能であることを特徴とする。
【００７１】
ここで、「予め定められた設定情報」に特に限定はないが、例えば、媒体Ｐの種類、媒
体Ｐへの液体の付与量、環境条件（温度、湿度等）、液体の種類などが挙げられる。
本態様によれば、予め定められた設定情報に基づいて、第１の移動量及び第２の移動量
を個別に変更可能である。このため、媒体Ｐの種類、媒体Ｐへの液体の付与量、環境条件
（温度、湿度等）、液体の種類などに応じて、高い精度で、第１の画像Ｉ１に重ねて第２
の画像Ｉ２を形成する場合における第１の画像Ｉ１又は第２の画像Ｉ２のはみ出しを抑制
することができる。
【００７２】
本発明の第９の態様の液体吐出装置１（２１及び３１）は、前記第８の態様において、
媒体Ｐは、テキスタイルであり、前記設定情報は、媒体Ｐの素材、媒体Ｐの編み方及び該
媒体Ｐを構成する糸の太さのうちの少なくともいずれか１つを含むことを特徴とする。
【００７３】
本態様によれば、媒体Ｐはテキスタイルであり、設定情報は媒体Ｐの素材、媒体Ｐの編
み方及び該媒体Ｐを構成する糸の太さのうちの少なくともいずれか１つを含む。このため
、媒体Ｐとしてテキスタイルを使用した場合において、高い精度で、第１の画像Ｉ１に重
ねて第２の画像Ｉ２を形成する場合における第１の画像Ｉ１又は第２の画像Ｉ２のはみ出
しを抑制することができる。
【００７４】
本発明の第１０の態様の画像形成方法は、液体を吐出可能な吐出部（７、２７及び３７
）と、媒体Ｐ及び吐出部（７、２７及び３７）を相対的に移動可能な移動部（２、２３及
び３２）と、吐出部（７、２７及び３７）及び移動部（２、２３及び３２）を制御し、吐
出部（２７及び３７）による吐出動作と移動部（２、２３及び３２）による媒体Ｐ及び吐
出部（２７及び３７）の前記相対的な移動動作とによる、媒体Ｐへの画像形成動作を実行
可能な制御部８と、を備える液体吐出装置における画像形成方法であって、第１の画像形
成動作による第１の画像Ｉ１の形成後に第２の画像形成動作により第１の画像Ｉ１に重ね
て第２の画像Ｉ２を形成する場合に、前記第１の画像形成動作に伴う相対的な移動方向Ａ
の第１の移動量と、前記第２の画像形成動作に伴う相対的な移動方向Ａの第２の移動量と
、を個別に設定することを特徴とする。
【００７５】
本態様によれば、第１の画像Ｉ１の形成後に第１の画像Ｉ１に重ねて第２の画像Ｉ２を
形成する場合に、第１の画像形成動作に伴う相対的な移動方向Ａの第１の移動量と、第２
の画像形成動作に伴う相対的な移動方向Ａの第２の移動量と、を個別に設定する。このた
め、相対的な移動方向Ａにおいて、第１の画像Ｉ１に重ねて第２の画像Ｉ２を形成する場
合における第１の画像Ｉ１又は第２の画像Ｉ２のはみ出しを抑制することができる。
【符号の説明】
【００７６】
１  記録装置（液体吐出装置）、２  媒体支持ユニット（移動部）、３  媒体搬送部、
４  トレイ、５  ステージ、６  キャリッジ、７  記録ヘッド（吐出部）、８  制御部
、
９  ＣＰＵ、１０  システムバス、１１  ＲＯＭ、１２  ＲＡＭ、
１３  ヘッド駆動部、１４  キャリッジモーター、１５  搬送モーター、
１６  モーター駆動部、１７  ＰＣ、１８  入出力部、１９  タッチパネル、
２０  回転レバー、２１  記録装置（液体吐出装置）、  ２２  セット部、
２３  搬送ローラー（移動部）、２４  プラテン、２５  巻取部、２６  キャリッジ、
２７  記録ヘッド（吐出部）、３１  記録装置（液体吐出装置）、
３２  本体部（移動部、吐出ユニット）、３４  媒体支持部、３６  キャリッジ、
３７  記録ヘッド（吐出部）、Ｉ１  第１の画像、Ｉ２  第２の画像、
ＯＥ  第１の画像Ｉ１又は第２の画像Ｉ２のはみ出し、
Ｏｖ  記録ヘッド７の各々の走査に対応する画像形成領域の重なり、Ｐ  媒体、
Ｓｐ  記録ヘッド７の各々の走査に対応する画像形成領域の間隔、
【図１】
0006421564.tif 000002
【図２】
0006421564.tif 000003
【図３】
0006421564.tif 000004
【図４】
0006421564.tif 000005
【図５】
0006421564.tif 000006
【図６】
0006421564.tif 000007
【図７】
0006421564.tif 000008
【図８】
0006421564.tif 000009